【事件の表示】
　平成　３年特許願第２１９８３０号「ファクシミリ装置」拒絶査定に対する審判事件［平成　５年　３月１２日出願公開、特開平　５−　６３９３３］について、次のとおり審決する。
【結　論】
　本件審判の請求は、成り立たない。
【理　由】
１．手続の経緯等
　本願は、平成３年８月３０日の出願であって、平成１３年１１月９日付け、平成１４年２月１日付け、及び平成１４年１１月１５日付けの手続補正書によって補正された明細書及び図面の記載から、本願の請求項１に係る発明（以下、本願発明という。）は、特許請求の範囲の請求項１に記載された次のとおりのものである。
　
「シリアル記録方式のインクジエット記録手段を備えるファクシミリ装置であって、
　本体上面の前方縁部に配設される操作部と、
　該操作部の下側に配設されるとともに、前記本体の前方側に設けられる開口部から原稿を排出させつつ原稿読み取りを行う原稿読み取り手段と、
　前記本体の上方から下方にかけて前記前方側に向かうように傾斜した状態で記録シートを収納し、収容した記録シートを供給するシート供給部と、
　前記シート供給部から供給される記録シートを前記原稿読取り手段の下方において案内するガイド部と、
　前記シート供給部から供給される記録シート上に記録を行うとともに、記録動作後に前記前方側で前記開口部の下方に配置された排出口から排出するように配設される前記インクジエット記録手段と、
　前記ガイド部の下方に配置される電源部と、前記本体の底部に沿うように配設される基板と、
　を具備することを特徴とするファクシミリ装置。」
　
２．当審の拒絶理由
　当審において、平成１４年９月１２日付けで通知した拒絶理由の概要は、本願の請求項１−３に係る発明は、下記の引用文献１−４に基づき、当業者が容易に発明をすることができたものであるから、特許法第２９条第２項の規定により特許を受けることができないというものである。
　
　１．実願平１−６０９３６号（実開平３−２３５３号）のマイクロフィルム
　２．実願平１−１３４３４６号（実開平３−７４５３０号）のマイクロフィルム
　３．特開平３−１０２０６３号公報
　４．特開平３−１０４６７７号公報
　
３．引用文献
３．１引用文献１の記載
　引用文献１には以下の記載がなされている。
　
（１）「第５図は本考案が実施される一例としてのファクシミリ装置の構造を示す断面略図である。この動作を簡単に説明すると、ファクシミリ送信時は操作部１で送信モードにセットし、送信すべき原稿が自動原稿搬送（ＡＤＦ）ローラ２、ＡＤＦコロ３により、原稿が１枚ずつ分離され、読取ローラ（Ｒ１）４，同（Ｒ２）６及び読取コロ（Ｒ１）５，同（Ｒ２）７により、原稿の読取り位置まで搬送される。
　光源８から原稿上に照射された反射光は反射ミラー26，レンズ９により読取素子であるＣＣＤ10に導かれ電気信号に変換されて送信される。そして原稿はＡ矢印方向の本体外へ排出される。」
（明細書第１頁第１９行−第２頁第１２行）
　
（２）「一方、ファクシミリ受信時あるいは原稿のコピー時は、操作部１で受信モードとして記録紙テーブル11上にセットされたカット記録紙29あるいはコピーの原稿29（以下記録紙29という）が記録紙有無検知センサ27で検知される。受信あるいはコピー開始と同時に、カット紙自動分離搬送（ＡＣＦ）ローラ12，ＡＣＦコロ13によって記録紙29が１枚ずつ分離搬送され、更にフィードローラ14、フィードコロ15によって挟持搬送され、記録紙先端検知センサ28で記録紙29の先端を検出された後、一定の距離を搬送される。
　次にプラテンローラ16およびサーマルヘッド17で記録紙29とインクシート30を重ね合わせて画情報が記録紙に転写される。その後、記録紙とインクシートは剥離ローラ21で剥離され、排紙ローラ18と、排紙コロ19によってＢ矢印方向の本体外へ排出される。」
（明細書第２頁第１３行−第３頁第９行）
　
（３）「なお、第５図において、インクシート30は供給側のインクシートカセット22から巻取側のインクシートカセット23へ巻取られる。また、24は本体への電力供給ユニット（ＰＳＵ）、25はプリント・コントロール・ボード（ＰＣＢ）で、本体の送，受信およびコピー動作を行なうための制御を行なう。」
（明細書第３頁第１６行−第４頁第１行）
　
　また、第５図には、本体の上面の図中左側の傾斜した縁部分に設けられた「操作部１」と、そのほぼ下側に設けられた「光源８」、「ミラー26」、「レンズ９」及び「ＣＣＤ10」と、図中右上方から左下方に傾斜した「記録紙テーブル11」と、「フィードローラ14」及び「フィードコロ15」と、「プラテンローラ16」、「サーマルヘッド17」、「インクシートカセット22」及び「インクシートカセット23」と、「ＰＳＵ24」と、本体の底面に沿って設けられた「ＰＣＢ25」と、を有するファクシミリ装置の断面図、ファクシミリ装置の左側から更に左に向かう「Ａ矢印」及びその下方の「Ｂ矢印」が示されている。
　第５図に示されたファクシミリ装置は、「操作部１」の向きから、図の左側が前方側であることは明らかであるから、引用文献１には次の発明（以下、引用発明という。）が記載されているといえる。
　
「プラテンローラ16、サーマルヘッド17、インクシートカセット22及びインクシートカセット23を備えるファクシミリ装置であって、
　本体上面の前方縁部に配設される操作部1と、
　該操作部1のほぼ下側に設けられた光源８、ミラー26、レンズ９及びＣＣＤ10と、
　本体の後部上方から前方下方に傾斜した記録紙テーブル11と
　前記記録紙テーブル11から供給される記録紙を挟持搬送するフィードローラ14及びフィードコロ15と、
　前記記録紙テーブル11から供給される記録紙上に記録を行なうプラテンローラ16、サーマルヘッド17、インクシートカセット22及びインクシートカセット23と、
　電力供給ユニット（ＰＳＵ）24と、本体の底面に沿って設けられたプリント・コントロール・ボード（ＰＣＢ）25と、
　を具備することを特徴とするファクシミリ装置。」
　
３．２引用文献２の記載
　引用文献２には以下の記載がなされている。
　
　（４）「第１図において、符号３はカット紙トレイであり、カット紙トレイ３は、ファクシミリ装置本体１に、上方傾斜して着脱可能に装着され、内部に記録用のカット紙６を所定枚数収容可能に構成されており、その上部には原稿ガイド機能を兼ねるトレイ蓋４が取付けられている。」
（明細書第６頁第９行−同頁第１４行）
　
　また、第１図には、上方傾斜してその下側部分が「ファクシミリ装置本体１」内に位置する「カット紙トレイ３」を有するファクシミリ装置が示されている。
　
３．３引用文献３の記載
　引用文献３には以下の記載がなされている。
　
（５）「〔産業上の利用分野〕
　本発明は、記録装置の記録シートの搬送および排出手段に関する。
　〔従来の技術〕
　プリンタ、複写機、ファクシミリなどの記録装置は、転送されてくる画像情報に基づいて、記録ヘッドのエネルギー発生体を駆動することにより、紙やプラスチック薄板などの記録シート上にドットパターンからなる画像を記録していくように構成されている。
　上記記録装置は、記録方式により、インクジェット式、ワイヤドット式、サーマル式、レーザービーム式などに分けることができる。」
（第１頁右下欄第３行−同欄第１５行）
　
（６）「第４図において、記録ヘッド１５は、プラテンローラ１４と平行なガイド軸２１、２１に沿って往復移動するキャリッジ２２上に搭載されている。
　なお、図示の記録ヘッド１５は、インクジェットヘッドの場合を例示し、インクタンクと一体に構成されている。」
（第３頁左上欄第６行−同欄第１１行）
　
４．対比
　引用発明の「プラテンローラ16」、「サーマルヘッド17」、「インクシートカセット22」及び「インクシートカセット23」は、それらにより記録手段を構成するといえ、上記（１）に「そして原稿はＡ矢印方向の本体外へ排出される。」とあることから、原稿を排出するための開口部があることは当然であり、上記（２）に「その後、記録紙とインクシートは剥離ローラ21で剥離され、排紙ローラ18と、排紙コロ19によってＢ矢印方向の本体外へ排出される。」とあることから、記録紙を排出する排出口があるのは当然であり、第５図に示された「Ａ矢印」及び「Ｂ矢印」から、排出口は開口部の下方に配置されたものとなる。
　また、「光源８」、「ミラー26」、「レンズ９」及び「ＣＣＤ10」は、それらにより原稿読み取り手段を構成するといえ、「記録紙テーブル11」は記録紙を供給するものであるから、シート供給部といえる。
　さらに、「フィードローラ14」及び「フィードコロ15」は、記録紙を「プラテンローラ16」、「サーマルヘッド17」、「インクシートカセット22」及び「インクシートカセット23」からなる記録手段へ向けて挟持搬送するので、記録紙を案内するものといえ、その具体的構造についての特定がない本願発明の「ガイド部」に相当する。
　そして、「記録紙」は記録シートと、「電力供給ユニット（ＰＳＵ）24」は電源部と、「プリント・コントロール・ボード（ＰＣＢ）25」は基板と、それぞれいえるから、本願発明と引用発明は次の点で一致する。
　
「記録手段を備えるファクシミリ装置であって、
　本体上面の前方縁部に配設される操作部と、
　前記本体の前方側に設けられる開口部から原稿を排出させつつ原稿読み取りを行う原稿読み取り手段と、
　シート供給部と、
　前記シート供給部から供給される記録シートを前記原稿読取り手段の下方において案内するガイド部と、
　前記シート供給部から供給される記録シート上に記録を行うとともに、記録動作後に前記前方側で前記開口部の下方に配置された排出口から排出するように配設される前記記録手段と、
　電源部と、前記本体の底部に沿うように配設される基板と、
　を具備することを特徴とするファクシミリ装置。」
　
　また、次の点で相違する。
　
　相違点１
　本願発明の記録手段は「シリアル記録方式のインクジエット記録手段」であるのに対して、引用発明のものは「プラテンローラ16」、「サーマルヘッド17」、「インクシートカセット22」及び「インクシートカセット23」からなるものである点。
　
　相違点２
　本願発明の原稿読み取り手段は「操作部の下側に配設される」ものであるのに対して、引用発明のものは、原稿読み取り手段を構成する「光源８」及び「ミラー26」は操作部の真下に位置するが、「レンズ９」及び「ＣＣＤ10」は操作部の下側のややずれた位置にあり、操作部のほぼ下側に配設されている点。
　
　相違点３
　本願発明のシート供給部は「本体の上方から下方にかけて前記前方側に向かうように傾斜した状態で記録シートを収納し、収容した記録シートを供給するシート供給部」であるのに対して、引用発明のものは「本体の後部上方から前方下方に傾斜した記録紙テーブル11」である点。
　
　相違点４
　本願発明の「電源部」は「ガイド部の下方に配置される」ものであるのに対して、引用発明のものはそのような配置でない点。
　
　そこで、上記相違点について検討する。
　
　相違点１について
　ファクシミリ装置の記録手段としてインクジエット記録手段を用いることは、前記３．３のとおり引用文献３に示されており、記録手段をシリアル記録方式のインクジエット記録手段とすることに困難な点はない。
　
　相違点２についいて
　本願発明において、「操作部」及び「原稿読み取り手段」の具体的な構成については特定がなく、装置の各構成要素の小型化を行なうことは一般的な課題であるから、原稿読み取り手段を「操作部の下側に配設される」ものとすることに困難な点はない。
　
　相違点３について
　記録用のカット紙を所定枚数収容可能なカット紙トレイを上方傾斜してその下側部分がファクシミリ装置本体内に位置するようにすることが、上記３．２のように引用文献２に示されており、「本体の後部上方から前方下方に傾斜した記録紙テーブル11」を「本体の上方から下方にかけて前記前方側に向かうように傾斜した状態で記録シートを収納し、収容した記録シートを供給するシート供給部」とすることに困難な点はない。
　
　相違点４について
　電源を装置の下部に配置することは周知技術（例えば、特開昭６２−１９８２５２号公報）であり、「ガイド部の下方に配置される電源部」として、装置の下部に配置することに困難な点はない。
　
５．むすび
　したがって、本願の請求項１に係る発明は、上記引用例に記載された発明に基づいて当業者が容易に発明をすることができたものであるから、特許法第２９条第２項の規定により特許を受けることができない。
　よって、結論のとおり審決する。